(57)【特許請求の範囲】
【請求項１】
第１の記録媒体に格納される、画像データと付帯情報を含む画像情報を取得する画像情報取得部と、
前記画像情報取得部で取得した画像情報を格納する画像情報記憶部と、
第２の記録媒体の容量を取得する容量取得部と、
前記画像情報取得部で取得した画像情報に含まれた付帯情報に、対応する画像データが圧縮された画像データである旨の情報が含まれていると、この圧縮された画像データのデータ伸張時のデータサイズを予測算出するデータサイズ算出部と、
前記画像情報取得部で複数の前記第１の記録媒体のそれぞれから取得した画像情報に含まれる付帯情報に基づき、少なくとも１つのインデックス情報を作成するインデックス情報編集部と、
前記インデックス情報編集部で作成したインデックス情報と、前記画像情報記憶部に格納された画像情報より、前記第２の記録媒体へ格納するためのプロファイルデータを作成するプロファイルデータ作成部と、
前記容量取得部で取得した前記第２の記録媒体の容量と、前記プロファイルデータ作成部で作成したプロファイルデータのサイズとを比較判定する判定部と、
前記判定部が、前記プロファイルデータのサイズが前記第２の記録媒体の容量以下であると判定すると、前記圧縮された画像データをデータ伸張しつつ前記プロファイルデータ作成部で作成したプロファイルデータを前記第２の記録媒体に書き込むデータ書込部と、
を有することを特徴とする医用画像処理装置。
【請求項２】
前記判定部が、前記プロファイルデータのサイズが前記第２の記録媒体の容量より大きいと判定した場合、前記インデックス情報編集部は、前記プロファイルデータ作成部で作成したプロファイルデータ内の所定のインデックス情報および関連する画像情報とを削除する、
ことを特徴とする請求項１記載の医用画像処理装置。
【請求項３】
前記プロファイルデータ作成部で作成されたプロファイルデータ内の対応する画像データを画像変換する画像変換部、
をさらに有することを特徴とする請求項１記載の医用画像処理装置。
【請求項４】
前記インデックス情報編集部は、少なくとも前記第１の記録媒体のＩＤ、患者ＩＤ、検査ＩＤの分類ごとに括られ、順に絞り込んだインデックス情報を作成する、
ことを特徴とする請求項１記載の医用画像処理装置。
【請求項５】
前記インデックス情報編集部は、
前記プロファイルデータのサイズが前記第２の記録媒体の容量より大きいと前記判定部が判定すると、前記プロファイルデータ作成部で作成したプロファイルデータ内のインデックス情報および関連する画像情報を、前記インデックス情報のいずれかの前記分類の単位で削除する、
請求項４記載の医用画像処理装置。
【発明の詳細な説明】
【技術分野】
【０００１】
本発明の実施形態は、医用画像処理装置に関する。
【背景技術】
【０００２】
医用現場において過去の医用画像データを参照する場合、その医用画像データを保存した記録媒体がその当時のメディアであるため古く、近年では殆ど使われていないことがある。また、古い記録媒体は容量も小さく、読み取る装置の速度も格段に遅いため、格納されている医用画像データを参照するにも、時間がかかりすぎて手間取ることがある。
【０００３】
また過去の医用画像データは、ACR-NEMA形式、IS&C形式、拡張IS&C規格形式、共通規格形式等様々な古いデータ形式が使用されていた。これら古いデータ形式で保存されている医用画像データを、近年幅広く使用されるようになってきたＤＩＣＯＭ形式等のデータ形式に変換して、現在使用される検査装置等に利用可能な医用画像データにすることが進められている。ＤＩＣＯＭ形式に変換された医用画像データは、現在、大容量で汎用性の高い、DVD-RAM、DVD-R/RW、DVD-R/RW DL、Blu-ray(BD-R/RE)等のメディアに保存される。これらのメディアは、１枚で旧形式の記録媒体を複数枚格納できる容量を有しているため、古い記録媒体の枚数を削減し、記録媒体の保管スペースを確保することができる。
【先行技術文献】
【特許文献】
【０００４】
【特許文献１】特開２００５−２８４５６４号公報
【発明の概要】
【発明が解決しようとする課題】
【０００５】
しかしながら、古い記録媒体から新しい記録媒体へ医用画像データを複写する場合、以下の問題点がある。まず、古い記録媒体に格納された医用画像データ１つ１つを、単純に新しい記録媒体へ容量の許す限り複写しようとすると、古い記憶媒体で形成されていた、複数の医用画像データで構成される検査単位、患者単位といったデータの括りが壊れてしまう。特に、古い記録媒体におけるデータ形式が古く、新しいデータ形式に変換して新しい記録媒体に複写する場合は、データ形式が異なるために更にデータの括りが壊れてしまう。
【０００６】
また、古い記録媒体は容量が小さいため、医用画像データを圧縮して格納している場合が多い。このときのデータの圧縮形式は、一律に同じ形式ではなく、また必ずしも一般的な圧縮形式でない場合も多い。そのため圧縮データを伸張して汎用的な形式のデータにする必要がある。しかし、伸張後のデータサイズを把握できないために、データサイズが大きくて変換先記録媒体に収まらない可能性があった。
【０００７】
さらに、従来では、変換先記録媒体の最大記録容量の大小に関わらず、１枚の変換元記録媒体から１枚の変換先記録媒体にしか変換複写できず、複数枚の変換元記録媒体を統合して、変換先記録媒体の記憶容量を最大限に活用するということはできていない。
【０００８】
本発明の実施形態はこのような点を考慮してなされたもので、異なる記録媒体で医用画像データを複写することができる医用画像処理装置を提供することを目的とする。
【課題を解決するための手段】
【０００９】
実施形態の医用画像処理装置は、第１の記録媒体に格納される、画像データと付帯情報を含む画像情報を取得する画像情報取得部と、前記画像情報取得部で取得した画像情報を格納する画像情報記憶部と、第２の記録媒体の容量を取得する容量取得部と、前記画像情報取得部で取得した画像情報に含まれた付帯情報に、対応する画像データが圧縮された画像データである旨の情報が含まれていると、この圧縮された画像データのデータ伸張時のデータサイズを予測算出するデータサイズ算出部と、前記画像情報取得部で複数の前記第１の記録媒体のそれぞれから取得した画像情報に含まれる付帯情報に基づき、少なくとも１つのインデックス情報を作成するインデックス情報編集部と、前記インデックス情報編集部で作成したインデックス情報と、前記画像情報記憶部に格納された画像情報より、前記第２の記録媒体へ格納するためのプロファイルデータを作成するプロファイルデータ作成部と、前記容量取得部で取得した前記第２の記録媒体の容量と、前記プロファイルデータ作成部で作成したプロファイルデータのサイズとを比較判定する判定部と、前記判定部が、前記プロファイルデータのサイズが前記第２の記録媒体の容量以下であると判定すると、前記圧縮された画像データをデータ伸張して前記プロファイルデータ作成部で作成したプロファイルデータを前記第２の記録媒体に書き込むデータ書込部と、を有することを特徴とする。
【図面の簡単な説明】
【００１０】
【図１】本発明の一実施形態に係る医用画像処理装置の概略構成を示すブロック図。
【図２】制御部の詳細を示すブロック図。
【図３】記録媒体Ａの画像情報を記録媒体Ｍに書き込む動作を示すフローチャート。
【図４】インデックス情報の分類例を示す図。
【図５】インデックス情報のうち患者ＩＤ毎で削除する場合の例を示す図。
【発明を実施するための形態】
【００１１】
以下、本発明の実施形態を添付図面に基づいて説明する。
【００１２】
図１は、本発明の一実施形態に係る医用画像処理装置１の概略構成を示すブロック図である。医用画像処理装置１は、例えばＨＩＳ（Hospital Information System：病院情報システム）もしくはＲＩＳ（Radiology Information System：放射線科情報システム）の一部として設けられ、画像診断装置やデータサーバ（図示しない）等の外部装置と病院内のＬＡＮ（ローカルエリアネットワーク）を介して相互に通信可能に接続される。
【００１３】
読取／書込装置３は医用画像処理装置１に接続される。読取／書込装置３は、ＭＯ、ＣＤ−ＲＯＭ、ＤＶＤ−ＲＷ等の取り出し可能な記録媒体から、制御部１０の制御に従ってデータの読取または書込を行い、医用画像処理装置１とデータのやりとりを行う。
【００１４】
医用画像処理装置１は、パーソナルコンピュータまたはワークステーションをベースとして構成され、制御部１０、表示部１２、操作部１３、通信部１５、記憶部１６、情報記憶媒体１７、画像情報記憶部２１、インデックス情報記憶部２２、変換先データ記憶部２３を含み、バスによって相互に通信可能に接続されて構成されている。
【００１５】
表示部１２はモニタ等であり、制御部１０の制御に基づいて画像データ等を表示する。操作部１３はタッチパネルや操作キー等の入力装置である。通信部１５は、病院内ＬＡＮに接続し、外部装置との通信を行う。
【００１６】
画像情報記憶部２１は、読取／書込装置３内の記録媒体から取得した画像情報（画像データおよび対応するテキストの付帯情報等）を格納する。詳細は後述する。
【００１７】
インデックス情報記憶部２２は、後述するインデックス情報編集部１０４で作成したインデックス情報を格納する。詳細は後述する。
【００１８】
変換先データ記憶部２３は、変換先記憶媒体に書き込むためのプロファイルデータを格納する。詳細は後述する。
【００１９】
記憶部１６は、制御部１０や通信部１５などのワーク領域となるもので、ＲＡＭ（Ｒａｎｄｏｍ  Ａｃｃｅｓｓ  Ｍｅｍｏｒｙ）などにより実現できる。
【００２０】
情報記憶媒体１７（コンピュータにより読み取り可能な媒体）は、プログラムやデータなどを格納するものであり、ハードディスク、或いはメモリ（Ｆｌａｓｈ Ｍｅｍｏｒｙ、ＲＯＭ：Ｒｅａｄ  Ｏｎｌｙ  Ｍｅｍｏｒｙ）などにより実現できる。情報記憶媒体１７には、本実施形態の各部としてコンピュータを機能させるためのプログラム（各部の処理をコンピュータに実行させるためのプログラム）、複数のアプリケーション等が記憶される。
【００２１】
制御部１０は、医用画像処理装置１の総括的な制御を行うとともに、その他の様々な演算処理や制御処理などを行う演算装置である。制御部１０の機能は各種プロセッサ（ＣＰＵ、ＤＳＰ等）、ＡＳＩＣ（ゲートアレイ等）などのハードウェアや、プログラムにより実現できる。制御部１０は、情報記憶媒体１７に格納されるプログラム（データ）に基づいて本実施形態の種々の処理を行う。
【００２２】
図２は制御部１０の詳細を示すブロック図である。制御部１０は、容量取得部１０１、画像情報取得部１０２、データサイズ算出部１０３、インデックス情報編集部１０４、プロファイルデータ作成部１０７、比較判定部１０５、データ書込部１０８、画像変換部１０６を含む。
【００２３】
容量取得部１０１は、読取／書込装置３内に挿入された、取り出し可能な記録媒体の容量を取得する。
【００２４】
画像情報取得部１０２は、読取／書込装置３内の取り出し可能な記録媒体から、画像情報を取得し、画像情報記憶部２１に格納する。
【００２５】
データサイズ算出部１０３は、医用画像データの付帯情報にある、圧縮画像データの行サイズ、列サイズ、１画素あたりのサイズに基づき、伸張後のデータサイズを予測して算出する。またデータサイズ算出部１０３は、画像情報が書き込まれる変換先データ記憶部２３内のプロファイルデータのデータサイズを都度算出する。詳細は後述する。
【００２６】
インデックス情報編集部１０４は、画像情報取得部１０２で取得した画像情報に含まれる付帯情報より、例えば変換元記録媒体のＩＤ、患者ＩＤ、検査ＩＤに分類したインデックス情報を作成、編集する。またインデックス情報編集部１０４は、作成したインデックス情報からDICOM DIRファイルを作成する。詳細は後述する。
【００２７】
プロファイルデータ作成部１０７は、インデックス情報編集部１０４で作成したインデックス情報に画像情報を対応させてプロファイルデータを作成し、変換先データ記憶部２３へ格納する。
【００２８】
データ書込部１０８は、プロファイルデータ作成部１０７が作成し変換先データ記憶部２３に格納した、変換先記録媒体に格納するプロファイルデータを、変換先記録媒体に書き込む。
【００２９】
比較判定部１０５は、容量取得部１０１で取得した変換先記録媒体の容量と、データサイズ算出部１０３で算出した、プロファイルデータのデータサイズとを比較する。
【００３０】
画像変換部１０６は、画像情報取得部１０２で取得した、例えば古いデータ形式の画像データをＤＩＣＯＭ形式のデータに画像変換する。また、圧縮された画像データがある場合、その圧縮画像データを伸張する。
【００３１】
次に、上記構成の医用画像処理装置１における、変換元記録媒体Ａの画像情報を変換先記録媒体Ｍに書き込む動作について、図３のフローチャートを参照して説明する。
【００３２】
ユーザが取り出し可能な変換先記録媒体Ｍを読取／書込装置３に挿入すると、制御部１０内の容量取得部１０１は、変換先記録媒体Ｍのデータ容量を取得する（ステップＳ１０１）。
【００３３】
次にユーザが取り出し可能な変換元記録媒体Ａを読取／書込装置３に挿入すると、画像情報取得部１０２は、変換元記録媒体Ａに記録された全ての画像情報を取得し、画像情報記憶部２１に格納する（ステップＳ１０３）。なお、画像情報には、イメージデータとしての画像データと、記録媒体ＩＤ、患者ＩＤ、検査ＩＤ、画像データが圧縮されているか否かの情報等を含むテキストデータとしての付帯情報とを含んでいる。
【００３４】
ステップＳ１０１で取得した画像情報内の画像データが圧縮されている場合（ステップＳ１０５で「Ｙｅｓ」）、その画像情報の付帯情報には、圧縮画像データの行サイズ、列サイズ、１画素あたりのサイズが含まれており、これらのデータから伸張後のデータサイズを予測算出できるようになっている。データサイズ算出部１０３は、この付帯情報に基づき、データ伸張後の画像データのサイズを予測算出する（ステップＳ１０７）。
【００３５】
次にインデックス情報編集部１０４は、ステップＳ１０３で取得した記録媒体Ａ内の画像情報に含まれる付帯情報に基づき、分類可能なインデックス情報を少なくとも１つ作成し（ステップＳ１０９）、変換先記録媒体Ｍに格納するためのインデックス情報として、インデックス情報記憶部２２に格納する。
【００３６】
図４に、作成するインデックス情報の分類例を示す。図４の例でインデックス情報は、変換元記録媒体のＩＤ、患者ＩＤ、検査ＩＤの分類で作成される。なお、インデックス情報は、他の記録媒体と共通に適用される分類だけでなく、記録媒体Ａのみに適用される分類があってもよい。
【００３７】
インデックス情報の分類は階層構造になっており、記録媒体Ａの下位には、患者ＩＤのうち患者ａ、患者ｂ、患者ｃのインデックス情報、患者ａの下位にはさらに、検査ＩＤのうち検査１、検査２のインデックス情報が含まれている。よって、画像情報を各インデックス情報に基づき分類することができる。
【００３８】
次に、プロファイルデータ作成部１０７は、ステップＳ１０３で画像情報取得部１０２が取得した画像情報を、ステップＳ１０９でインデックス情報編集部１０４が作成したインデックス情報に対応させ、最終的に変換先記録媒体Ｍに格納するためのプロファイルデータを作成し、変換先データ記憶部２３へ格納する（ステップＳ１１１）。
【００３９】
ステップＳ１１１において、変換先データ記憶部２３へ格納するプロファイルデータは、変換先記録媒体Ｍに書き込むデータであるため、データサイズは変換先記録媒体Ｍ以下でなければならない。そこで、データサイズ算出部１０３は、プロファイルデータ作成部１０７が画像情報を対応させて変換先データ記憶部２３に格納する都度、プロファイルデータ全体のサイズを算出する（ステップＳ１１２）。そして比較判定部１０５は、この変換先データ記憶部２３内のプロファイルデータのサイズと、ステップＳ１０１で容量取得部１０１が取得した変換先記録媒体Ｍの容量とを比較する（ステップＳ１１３）。
【００４０】
変換先データ記憶部２３内のプロファイルデータサイズが変換先記録媒体Ｍの容量を超えていない場合（ステップＳ１１３で「Ｎｏ」）、変換先データ記憶部２３に変換元記録媒体Ａの画像情報全てが格納されていなければ（ステップＳ１１４で「Ｎｏ」）、ステップＳ１１１に戻り、プロファイルデータ作成部１０７は次の画像情報をインデックス情報に対応させて作成しているプロファイルデータに追記し、変換先データ記憶部２３に格納する。変換先データ記憶部２３に変換元記録媒体Ａの画像情報全てが格納された場合（ステップＳ１１４で「Ｙｅｓ」）、変換先記録媒体Ｍにはまだ格納できる容量があるということなので、ステップＳ１０３の動作に戻る。画像情報取得部１０２は次の変換元記録媒体（例えば記録媒体Ｂ）から画像情報を取得して、作成しているプロファイルデータに追記する。
【００４１】
変換先データ記憶部２３内のプロファイルデータサイズが変換先記録媒体Ｍの容量を超えた場合（ステップＳ１１３で「Ｙｅｓ」）、インデックス情報編集部１０４は、ステップＳ１０９で作成しインデックス情報記憶部２２に格納したインデックス情報のうちプロファイルデータ内の所定のインデックス情報と、関連する画像情報と、を削除する（ステップＳ１１５）。
【００４２】
ステップＳ１１５におけるインデックス情報と関連する画像情報の削除は、所定の患者における検査内容がばらばらになってしまわないよう、なるべく患者単位の括りを保持することが望ましい。図５に、ステップＳ１１５における、インデックス情報とそれに含まれる画像情報の削除の詳細について説明する。図５は患者ＩＤ毎で削除する場合の例を示す図である。変換元記録媒体Ｂ内の患者ｃのインデックス情報に対応する画像情報を変換先データ記憶部２３に書き込み途中に、変換先データ記憶部２３内のデータサイズが変換先記録媒体Ｍの容量を超えた場合、インデックス情報編集部１０４は、記録媒体Ｂ内の患者ｃのインデックス情報に対応する画像情報を全て削除すると共に、記録媒体Ａ内の患者ｃのインデックス情報に対応する画像情報も全て削除する。
【００４３】
これにより、同じ患者における検査内容のデータが、複数のメディアにばらばらに保存されてしまうことを防ぐ。
【００４４】
なお、ステップＳ１１５において、インデックス情報編集部１０４は、たとえば変換元記憶媒体のＩＤごとに削除を行うことにより変換元記憶媒体単位の括りを保持するようにしてもよいし、検査ＩＤごとに削除を行うことにより検査単位の括りを保持するようにしてもよい。
【００４５】
図３のフローチャートに戻り、次にインデックス情報編集部１０４は、変換先データ記憶部２３に格納されるプロファイルデータのインデックス情報から、DICOM DIRのファイルを作成し、データ書込部１０８は変換先データ記憶部２３に格納する（ステップＳ１１７）。このDICOM DIRファイルは、記録媒体に保存するための索引ファイルである。つまりこの場合のDICOM DIRは、インデックス情報として作成されている、患者ＩＤや検査ＩＤを索引としたファイルである。
【００４６】
ＤＩＣＯＭ形式で記録媒体に保存しようとする場合、索引ファイルであるDICOM DIRファイルがないと、内部のデータは単なるＤＩＣＯＭ形式のデータの並びだけであって階層構造が判断できないため、ＤＩＣＯＭ対応メディアとして使用できず、ＤＩＣＯＭ対応機器で読み取ることができない。そのため、DICOM DIRファイルを作成する。
【００４７】
次に画像変換部１０６は、変換先データ記憶部２３に格納される、プロファイルデータ内の画像データを、ＤＩＣＯＭ形式の画像データに画像変換する（ステップＳ１１９）。圧縮された画像データの場合は、伸張してＤＩＣＯＭ形式の画像データに画像変換する。
【００４８】
次にデータ書込部１０８は、ステップＳ１１７で作成したDICOM DIRファイル、およびステップＳ１１９で画像変換したプロファイルデータの画像情報を変換先記録媒体Ｍに書き込む（ステップＳ１２１）。
【００４９】
以上説明した実施例によれば、変換先記録媒体のデータ容量を取得し、患者ＩＤや検査ＩＤのインデックス情報に対応する画像情報を複数格納したプロファイルデータのサイズと都度比較する。プロファイルデータサイズが変換先記録媒体のデータ容量を超えた場合、プロファイルデータの所定のインデックス情報と関連する画像情報とを削除し、変換先記録媒体に書き込む。
【００５０】
これにより、古い形式の変換元記録媒体に格納している画像情報のデータの括りを壊さずに、現在汎用されている形式の変換先記録媒体に格納させることができる。また、複数枚の変換元記録媒体を、データ容量が許す限り１枚の変換先記録媒体にデータ統合することにより、変換先記録媒体の容量を最大限に活用することができる。また、画像情報が圧縮データの場合は伸張後のデータサイズを予測算出することで、圧縮データが伸張した場合でも変換先記録媒体に収まらないことを防ぐことができる。
【００５１】
以上、本発明の実施形態について図面を参照して詳述してきたが、具体的な構成はこの実施形態に限られるものではなく、本発明の要旨を逸脱しない範囲の設計変更等も含まれる。
【符号の説明】
【００５２】
１…医用画像処理装置、１０…制御部、１２…表示部、１３…操作部、１５…通信部、１６…記憶部、１７…情報記憶媒体、２１…画像情報記憶部、２２…インデックス情報記憶部、２３…変換先データ記憶部、３…読取／書込装置。
【図１】
0005846788.tif 000002
【図２】
0005846788.tif 000003
【図３】
0005846788.tif 000004
【図４】
0005846788.tif 000005
【図５】
0005846788.tif 000006